(57)【要約】【課題】  軽度障害者を持つオペレータの安全性を確保することが可能な画像形成装置の提供を目的とする。【解決手段】  原稿ｄを給紙口から送りこみ、排紙口から排出する原稿自動搬送装置３０と、該原稿自動搬送装置３０によって搬送された原稿ｄの画像を読み取る画像読取装置６０と、該画像読取装置６０が読み取った画像に応じた静電潜像が形成される像担持体１と、静電潜像が形成された前記像担持体１にトナーを吸着させてトナー画像を形成する現像装置４と、該トナー画像を記録紙ＰＥに転写する転写装置７と、前記記録紙ＰＥに転写されたトナー画像を定着させる定着装置２４と、給紙口から前記像担持体１に前記記録紙ＰＥを搬送し、定着装置２４を通過させて排紙口に排出する搬送系２２と、を有する画像形成装置Ａにおいて、操作者が接触可能な可動部４２を有し、該可動部４２は外装表面に点字ブロック４６を有することを特徴としている。【選択図】図１
2005084289.tif 000002
【特許請求の範囲】
【請求項１】
原稿を給紙口から送りこみ、排紙口から排出する原稿自動搬送装置と、
該原稿自動搬送装置によって搬送された原稿の画像を読み取る画像読取装置と、
該画像読取装置が読み取った画像に応じた静電潜像が形成される像担持体と、
静電潜像が形成された前記像担持体にトナーを吸着させてトナー画像を形成する現像装置と、
該トナー画像を記録紙に転写する転写装置と、
前記記録紙に転写されたトナー画像を定着させる定着装置と、
給紙口から前記像担持体に前記記録紙を搬送し、定着装置を通過させて排紙口に排出する搬送系と、を有する画像形成装置において、
操作者が接触可能な可動部を有し、該可動部は外装表面に点字ブロックを有することを特徴とする画像形成装置。
【請求項２】
前記可動部は、原稿又は記録紙の給紙口と排紙口の近傍に設けられていることを特徴とする請求項１記載の画像形成装置。
【請求項３】
前記点字ブロックは、危険を示す点字ブロックと、前記可動部の駆動方向を示す点字ブロックとからなることを特徴とする請求項１又は２記載の画像形成装置。
【請求項４】
前記画像形成装置は、画像形成された記録紙に対して後処理を行う後処理装置を有し、
前記可動部は、前記後処理装置の排紙口に設けられた排紙口ユニットであることを特徴とする請求項１から３のいずれかに記載の画像形成装置。
【請求項５】
前記可動部は、排紙された記録紙をストックするための、メイントレイであることを特徴とする請求項１から４のいずれかに記載の画像形成装置。
【請求項６】
原稿を給紙口から送りこみ、排紙口から排出する原稿自動搬送装置と、
該原稿自動搬送装置によって搬送された原稿の画像を読み取る画像読取装置と、
該画像読取装置が読み取った画像に応じた静電潜像が形成される像担持体と、
静電潜像が形成された前記像担持体にトナーを吸着させてトナー画像を形成する現像装置と、
該トナー画像を記録紙に転写する転写装置と、
前記記録紙に転写されたトナー画像を定着させる定着装置と、
画像形成中かどうかを示す警告ユニットと、
画像形成動作に同期して前記警告ユニットを動作させる警告ユニット制御手段と、を有することを特徴とする画像形成装置。
【請求項７】
前記警告ユニット制御手段は、前記警告ユニットを、記録紙の排紙と同期させることを特徴とする請求項６記載の画像形成装置。
【請求項８】
前記警告ユニットは、信号灯であることを特徴とする請求項６又は７記載の画像形成装置。
【請求項９】
前記警告ユニットは、先端に凸型のボタンを有するソレノイドであることを特徴とする請求項６から８のいずれかに記載の画像形成装置。
【発明の詳細な説明】
【技術分野】
【０００１】
本発明は、軽度障害者を持つオペレータの安全性を確保することができる画像形成装置に関する。
【背景技術】
【０００２】
弱視・難聴・肢体不自由者等の軽度障害者の使用性向上を意図した画像形成装置は、従来から各種各様のものが提案されている（例えば、特許文献１から４を参照）。
【特許文献１】特開平７−３１９６２３（段落１６、図２）
【特許文献２】特開平１１−１１９４９８（段落３１、図７）
【特許文献３】特開２００３−１３１５２８（段落６以降、図２）
【特許文献４】特開２００３−１６３７７６（段落２７以降、図７から図１０）
【発明の開示】
【発明が解決しようとする課題】
【０００３】
しかし、これらの技術は全て使用性向上を意図したものが中心で、オペレータの安全性への配慮が不足していた。
【０００４】
そこで本発明は、軽度障害者を持つオペレータの安全性を確保することが可能な画像形成装置の提供を目的とする。
【課題を解決するための手段】
【０００５】
上記目的を達成するために請求項１に記載の画像形成装置は、原稿を給紙口から送りこみ、排紙口から排出する原稿自動搬送装置と、該原稿自動搬送装置によって搬送された原稿の画像を読み取る画像読取装置と、該画像読取装置が読み取った画像に応じた静電潜像が形成される像担持体と、静電潜像が形成された前記像担持体にトナーを吸着させてトナー画像を形成する現像装置と、該トナー画像を記録紙に転写する転写装置と、前記記録紙に転写されたトナー画像を定着させる定着装置と、給紙口から前記像担持体に前記記録紙を搬送し、定着装置を通過させて排紙口に排出する搬送系と、を有する画像形成装置において、操作者が接触可能な可動部を有し、該可動部は外装表面に点字ブロックを有することを特徴としている。
【０００６】
請求項２に記載の画像形成装置は、前記可動部は、原稿又は記録紙の給紙口と排紙口の近傍に設けられていることを特徴としている。
【０００７】
請求項３に記載の画像形成装置は、前記点字ブロックは、危険を示す点字ブロックと、前記可動部の駆動方向を示す点字ブロックとからなることを特徴としている。
【０００８】
請求項４に記載の画像形成装置は、前記画像形成装置は、画像形成された記録紙に対して後処理を行う後処理装置を有し、前記可動部は、前記後処理装置の排紙口に設けられた排紙口ユニットであることを特徴としている。
【０００９】
請求項５に記載の画像形成装置は、前記可動部は、排紙された記録紙をストックするための、メイントレイであることを特徴としている。
【００１０】
請求項６に記載の画像形成装置は、原稿を給紙口から送りこみ、排紙口から排出する原稿自動搬送装置と、該原稿自動搬送装置によって搬送された原稿の画像を読み取る画像読取装置と、該画像読取装置が読み取った画像に応じた静電潜像が形成される像担持体と、静電潜像が形成された前記像担持体にトナーを吸着させてトナー画像を形成する現像装置と、該トナー画像を記録紙に転写する転写装置と、前記記録紙に転写されたトナー画像を定着させる定着装置と、画像形成中かどうかを示す警告ユニットと、画像形成動作に同期して前記警告ユニットを動作させる警告ユニット制御手段と、を有することを特徴としている。
【００１１】
請求項７に記載の画像形成装置は、前記警告ユニット制御手段は、前記警告ユニットを、記録紙の排紙と同期させることを特徴としている。
【００１２】
請求項８に記載の画像形成装置は、前記警告ユニットは、信号灯であることを特徴としている。
【００１３】
請求項９に記載の画像形成装置は、前記警告ユニットは、先端に凸型のボタンを有するソレノイドであることを特徴としている。
【発明の効果】
【００１４】
請求項１に記載の画像形成装置は、原稿自動搬送装置、画像読取装置、像担持体、現像装置、転写装置、定着装置、搬送系及び、操作者が接触可能な可動部を有している。このうち可動部の外装表面に点字ブロックがあることで、操作者に注意を喚起することができるため、可動部に手を挟むなどの怪我を防止することができる。
【００１５】
請求項２に記載の画像形成装置は、点字ブロックを有する可動部は、原稿又は記録紙の給紙口と排紙口の近傍に設けられている。そのため、操作者に事前に注意を促すことができ、怪我を防止できる。
【００１６】
請求項３に記載の画像形成装置は、点字ブロックは、危険を示す点字ブロックと、前記可動部の駆動方向を示す点字ブロックの２種類がセットになったものとすることで、可動部がどのように動くのかが予め分かるので、怪我等の危険を防止することができる。
【００１７】
請求項４に記載の画像形成装置は、画像形成された記録紙に対して後処理を行う後処理装置を有しており、後処理装置の排紙口に設けられた排紙口ユニットに点字ブロックがあることで、排紙口ユニットの駆動方向が予めわかるようになる。
【００１８】
請求項５に記載の画像形成装置は、排紙された記録紙をストックするための、メイントレイに点字ブロックを付けたことで、メイントレイの駆動方向が予め分かり、操作者の怪我の防止が可能となる。
【００１９】
請求項６に記載の画像形成装置は、原稿自動搬送装置、画像読取装置、像担持体、現像装置、転写装置、定着装置及び、画像形成中かどうかを示す警告ユニット及び画像形成動作に同期して前記警告ユニットを動作させる警告ユニット制御手段とを有する構成とすることで、軽度障害者は、画像形成装置が画像形成中であるかどうかを知ることができる。
【００２０】
請求項７に記載の画像形成装置は、前記警告ユニット制御手段は、前記警告ユニットを、記録紙の排紙と同期させるように点灯・消灯を制御することで、操作者は、画像形成中であることと、画像形成に使用している記録紙のおおよそのサイズが判断できる。
【００２１】
請求項８に記載の画像形成装置は、警告ユニットに信号灯を使用することで、難聴の操作者等画像形成装置の動作音を聞き取り難い操作者にも、動作中であることを知らせることができる。
【００２２】
請求項９に記載の画像形成装置は、先端に凸型のボタンを有するソレノイドを警告ユニットに使用することで、弱視の操作者はソレノイドに触れることで画像形成中であることが分かるようになる。
【発明を実施するための最良の形態】
【００２３】
次に本発明の定着装置及び画像形成装置を、図面を基に説明する。
図１は本発明の実施の形態に係るカラー画像形成装置の構成を示す図である。図１に示すカラー画像形成装置Ａは、タンデム型カラー画像形成装置であり、原稿自動搬送手段３０、画像読取装置６０、画像書込装置３Ｙ，３Ｍ，３Ｃ，３Ｋ、像担持体１Ｙ，１Ｍ，１Ｃ，１Ｋ、帯電装置２Ｙ，２Ｍ，２Ｃ，２Ｋ、現像装置４Ｙ，４Ｍ，４Ｃ，４Ｋ、定着装置２４、ベルト状の中間転写体６、給紙手段２１Ａ，２１Ｂ，２１Ｃ、搬送系２２等を有するものである。
【００２４】
原稿自動搬送手段３０は両面又は片面の原稿ｄを自動搬送する手段である。画像読取装置６０は、移動式光学系により画像情報が読み取られる装置で、原稿載置台上から給送される多数枚の原稿ｄの内容を、３枚の可動ミラー６０Ｃで反射し、集光レンズ６０Ｂにより、ＣＣＤからなる撮像素子６０Ａに結像して読み取る。
【００２５】
イエロー色の画像を形成する画像形成部１０Ｙは、像形成体としての像担持体１Ｙの周囲に配置された帯電装置２Ｙ、画像書込装置３Ｙ、現像装置４Ｙ及びクリーニング装置８Ｙを有する。マゼンタ色の画像を形成する画像形成部１０Ｍは、像形成体としての像担持体１Ｍ、帯電装置２Ｍ、画像書込装置３Ｍ、現像装置４Ｍ及びクリーニング装置８Ｍを有する。シアン色の画像を形成する画像形成部１０Ｃは、像形成体としての像担持体１Ｃ、帯電装置２Ｃ、画像書込装置３Ｃ、現像装置４Ｃ及びクリーニング装置８Ｃを有する。黒色画像を形成する画像形成部１０Ｋは、像形成体としての像担持体１Ｋ、帯電装置２Ｋ、画像書込装置３Ｋ、現像装置４Ｋ及びクリーニング装置８Ｋを有する。帯電装置２Ｙと画像書込装置３Ｙ、帯電装置２Ｍと画像書込装置３Ｍ、帯電装置２Ｃと画像書込装置３Ｃ及び帯電装置２Ｋと画像書込装置３Ｋとは、潜像形成手段を構成する。
中間転写体６は、無端状のベルトであり、複数のローラにより張架され、回動可能に支持されている。
【００２６】
撮像素子６０Ａ上に結像した画像情報の信号は、図示しない画像処理部に送られる。画像処理部は、アナログ処理、Ａ／Ｄ変換、シェーディング補正、画像圧縮処理等を行った後、画像書込装置３Ｙ，３Ｍ，３Ｃ，３Ｋに各色ごとの信号を送る。
【００２７】
画像書込装置３Ｙ，３Ｍ，３Ｃ，３Ｋでは、レーザ光源としての半導体レーザを用い、半導体レーザが出射した光ビームはポリゴンミラーなどの光学要素により走査光ビームに形成されて被走査体としての像担持体１Ｙ，１Ｍ，１Ｃ，１Ｋに入射し、各色の静電潜像を形成する。
【００２８】
画像形成部１０Ｙ，１０Ｍ，１０Ｃ，１０Ｋより形成された各色の画像は、回動する中間転写体６上に１次転写装置としての転写装置７Ｙ，７Ｍ，７Ｃ，７Ｋにより逐次転写されて（１次転写）、合成されたカラー画像が形成される。給紙カセット２０Ａ，２０Ｂ，２０Ｃ内に収容された記録紙ＰＥは、給紙手段２１Ａ，２１Ｂ，２１Ｃにより給紙され、搬送系２２を経て、レジストローラ２３でタイミングを合わせて２次転写装置としての転写装置７Ａに搬送され、記録紙ＰＥ上にカラー画像が転写される（２次転写）。カラー画像が転写された記録紙ＰＥは、定着装置２４により定着処理され、排紙ローラ２５に挟持されて機外の排紙トレイ２６上に載置される。
一方、転写装置７Ａにより記録紙ＰＥにカラー画像を転写した後、記録紙ＰＥを分離した中間転写体６は、クリーニング装置８Ａによりクリーニングされる。
【００２９】
５Ｙ，５Ｍ，５Ｃ，５Ｋは、現像装置４Ｙ，４Ｍ，４Ｃ，４Ｋにそれぞれ新規トナーを補給するトナー補給手段である。
【００３０】
手差しトレイ２０Ｄ及び原稿自動搬送手段３０には、給紙のための開口部があり、そこに複数のローラからなる給紙手段２１Ｄ，３１が取り付けられている。また、排紙トレイ２６には排紙のための開口部があり、そこに排紙手段である排紙ローラ２５が設けられている。原稿自動搬送手段３０には、給紙した原稿ｄを排出する排紙口３２があり、図示しない排紙ローラを有している。
【００３１】
図２は、可動部に点字ブロックを刻印した状態を示す図である。後処理装置Ｂは画像形成装置Ａの排紙トレイ２６の代わりに取り付けられ、画像形成された記録紙ＰＥに対してステープル止めや中折りといった処理をするものである。画像形成装置Ａの排紙ローラ２５から排出された記録紙ＰＥは、搬送口４１から後処理装置Ｂに搬送されて、図示しないステープラや中折り手段等によって後処理が行われた後、排紙口ユニット４２の排紙ローラ４２ｂ、４３によってメイントレイ４４に排出される。一方、後処理を行わない場合はサブトレイ４５に排出される。
【００３２】
排紙口ユニット４２は、図２の矢印で示したように円弧状に駆動するようになっており、排紙ローラ４２ｂと排紙ローラ４３との圧接と圧接解除を行う。また、メイントレイ４４は上下に移動するようになっている。これらのような、画像形成時に駆動する可動部のうち操作者が手を触れることが可能なものについては、どのように駆動するのかを操作者が予め知っておいた方がよい場合がある。特に軽度障害者が操作をする場合には、画像形成中の可動部に不用意に触れて怪我をしないようにするために必要である。
【００３３】
メイントレイ４４にはその側面４４ａに危険を示す点字ブロック４６と駆動方向を示す点字ブロック４７がある。また、排紙口ユニット４２の頂面４２ａにも同様な点字ブロック４６，４７がある（図示せず）。これらの点字ブロック４６，４７はメイントレイ４４等の可動部と一体的に形成されたものである。しかし、一体形成だけではなく、可動部を形成した後に刻印したもの若しくは点字を印刷したシールを貼りつけたもの等であってもよい。
【００３４】
図３は点字ブロックの種類を示す図である。点字ブロックには危険を示す点字ブロック４６と可動部の駆動方向を示す点字ブロック４７の２種類がある。駆動方向を示す点字ブロック４７には、当該可動部が上下に移動することを示す点字ブロック４７ａ，４７ｂ、当該可動部が前後移動することを示す点字ブロック４７ｃ及び円弧移動することを示す点字ブロック４７ｄ等がある。例えば排紙口ユニット４２は円弧移動するものであるから、点字ブロック４６と点字ブロック４７ｄが刻印されている。操作者は点字ブロック４６を触ることで排紙口ユニット４２が、画像形成時に駆動するものであることが分かり、点字ブロック４７ｄに触れることで排紙口ユニット４２が円弧移動するものであることが分かる。
【００３５】
なお、図３に示した点字ブロックの形状は一例でありこれに限定するものではない。また、後処理装置Ｂだけでなく、画像形成装置Ａの給紙手段２１Ｄ、原稿自動搬送手段３０の排紙口３２にある図示しない排紙ローラ及び、排紙ローラ２５等の可動部、又はその近傍に設けることも可能である。
【００３６】
この様に、操作者が触れることができる可動部に危険を示す点字ブロック４６と駆動方向を示す点字ブロック４７を設けることで、各駆動装置の駆動方向が予め分かるようになる。しかし、これらの可動部を画像形成処理中に触れるのは危険であるので、現在画像形成処理中かどうかを軽度障害者の操作者に示す必要がある。
【００３７】
図４は本発明の画像形成装置の斜視図である。図４では、画像形成装置Ａに後処理装置Ｂと大容量給紙装置Ｃが取り付けられている。本発明はこのような実施例に限定されるものではなく、画像形成装置Ａを単体で使用する場合にも適用可能である。
【００３８】
画像形成装置Ａの背面には、警告ユニットとして、円筒形状の信号灯５０が取り付けられている。信号灯５０には、赤色の発光部５１、黄色の発光部５２及び青色の発光部５３という３つの発光部が、信号灯５０の上部に設けられている。これらの発光部５１，５２，５３は、画像形成装置Ａ、後処理装置Ｂ及び大容量給紙装置Ｃの機械動作に同期して発光・消灯を繰り返すものである。例えば、原稿自動搬送手段３０に発光部５１が同期し、画像形成部１０Ｙ，１０Ｍ，１０Ｃ，１０Ｋの動作に発光部５２が同期し、排紙ローラ２５の動作に同期して発光部５３が点滅するといった方法や、発光部５１は画像形成装置Ａの動作に同期し、発光部５２は後処理装置Ｂに同期して発光・消灯し、発光部５３は大容量給紙装置Ｃに同期する方法等が考えられる。
【００３９】
図５は機械動作と発光部の同期を示す図である。図５では一例として排紙ローラ２５と発光部５３の同期する場合を説明する。図の上段が排出ローラ２５の動作を示し、下段が発光部５３の動作を示している。この図が示すように、発光部５３は、排紙ローラ２５が記録紙ＰＥを１枚排出し始めると同時に点灯し、１枚分の排出が完了し、排紙ローラ２５が停止したところで消灯する。それを指定された枚数分繰り返す。画像形成が全て終了すると、記録紙ＰＥの排出を伴わない終了動作が行われる。発光部５１はそのその間も点灯している。画像形成装置Ａに後処理装置Ｂが接続されている場合は、ステープル止めや中折り等の後処理をする場合があり、その場合は後処理が終了するまで点灯している。そして終了動作も終わり画像形成が完了すると発光部５１も消灯する。このように、排出動作に合わせて点灯・消灯を繰り返すと、１回の発光時間の長さで、現在使用している記録紙ＰＥのおおよそのサイズが分かる。
【００４０】
なお、図４では３つの発光部５１，５２，５３として説明したが、本発明は発光部の個数をこれに限定するものではない。また、発光部の色もこれに限定するものではなく、任意の色を使用することが可能である。
【００４１】
図６は、本発明の画像形成装置のブロック図である。全体制御部５４は、画像読取装置６０や画像形成部１０（画像形成部１０Ｙ，１０Ｍ，１０Ｃ，１０Ｋを総称して画像形成部１０とする）といった画像形成装置Ａが有する各装置を制御するものであり、図示しないＣＰＵと記憶装置等から構成されている。操作部５５は、操作者が画像形成装置Ａに画像形成の開始を指示するスタートボタンや、画像形成枚数を指定するテンキー等を有している。表示部５６は現在指定されている画像形成枚数や画像形成モード等を表示する液晶パネルである。また、表示部５６にはタッチパネルが取り付けられているため、両面コピーか片面コピーかといった画像形成モードの設定等が可能となっている。
【００４２】
画像処理部５７は、画像読取装置６０が読み取った画像に対して、アナログ処理、Ａ／Ｄ変換、シェーディング補正、画像圧縮処理等を行い、画像形成部１０に画像データを出力するものである。警告ユニット制御手段５８は、警告ユニットである信号灯５０を図５で示したようなタイミングで点灯・消灯するように制御するものである。
【００４３】
図７は警告ユニットを排紙動作に同期して点灯させる時の、画像形成処理の手順を示すフローチャートである。操作者が操作部からスタートボタンを押すことによって実行される。画像形成処理が開始されると、画像読取装置６０が原稿を１枚読み取る（Ｓ０１）。画像処理部は読み込まれた画像データを処理し、画像形成部１０を制御して記録紙ＰＥに画像を形成する（Ｓ０２）。画像形成された記録紙ＰＥは定着装置２４を通り排紙ローラ２５へ渡され（Ｓ０３）、同時に警告ユニット制御手段５８が信号灯５０を点灯させる（Ｓ０４）。記録紙ＰＥの排出が完了し、排出ローラが停止したところで（Ｓ０５）、警告ユニット制御手段５８は信号灯５０を消灯させる（Ｓ０６）。同一の原稿を複数枚、画像形成する場合にはＳ０２に戻り新しい記録紙ＰＥに画像を形成する（Ｓ０７）。全ての原稿に対して同様の処理を行ったら（Ｓ０８）、警告ユニット制御手段５８は再び警告ユニット５０を点灯させ（Ｓ０９）、全体制御部５４は後処理を行う（Ｓ１０）。この時、後処理装置Ｂでステープル止め等を行う場合には、後処理装置Ｂの動作が終了するまで警告ユニット５０を点灯させておく。後処理が全て完了したら、警告ユニット制御手段５８は警告ユニット５０を消灯する（Ｓ１１）。このような手順によって、画像形成装置Ａの排出動作と信号灯５０の点灯・消灯を同期させることができる。
【００４４】
なお、上記実施例では警告ユニットとして信号灯５０を用いて説明をしたが、本発明はそのようなものに限定するものではない。例えば以下のような実施例も考えられる。
【００４５】
図８は上部に凸型のボタンを有したソレノイドの断面図である。信号灯５０を画像形成装置Ａに取り付けると難聴の操作者には画像形成動作がわかりやすいが、弱視の操作者には発光部が見にくいという問題がある。そこで、信号灯５０の代わりにソレノイド７０を警告ユニットとして使用することも考えられる。
【００４６】
ソレノイド７０は一方の端が細くなった鉄心７１の回りにコイル７２が設けられており、コイル７２を通電させることで鉄心７１が上に持ちあがる。通電を切ると、鉄心７１の下に取り付けられたバネ７４が鉄心７１を下に引き下げる。そして、鉄心７１の細くなった端には、凸型のボタン７３が取り付けられている。
【００４７】
このようなソレノイド７０は、画像形成装置Ａの手前側、操作部５５の隣等に取り付けられる。この時凸型のボタン７３は、下にある時は、画像形成装置Ａのフレーム７５の下にあり、上にあがるとフレーム７５の上に突出するように取り付ける。そうすることで、ソレノイド７０に指を触れるだけで、画像形成処理が動作中かどうかが分かる。
【００４８】
なお、ソレノイド７０の代わりにバイブレータを取り付け、画像形成処理を行っている時にはバイブレータが振動するように構成することも可能である。又は、警告ユニットとして表示部５６を使用し、装置の動作状況をメッセージで表示することも可能であり、さらに、上記した警告ユニットを複数組み合わせて取り付けることも可能である。
【００４９】
上記ではカラー画像形成装置を用いて説明を行ったが、本発明はカラー画像形成装置の他に、モノクロ画像形成装置にも適用が可能である。
【図面の簡単な説明】
【００５０】
【図１】本発明の実施の形態に係るカラー画像形成装置の構成を示す図である。
【図２】可動部に点字ブロックを刻印した状態を示す図である。
【図３】点字ブロックの種類を示す図である。
【図４】本発明の画像形成装置の斜視図である。
【図５】機械動作と発光部の同期を示す図である。
【図６】本発明の画像形成装置のブロック図である。
【図７】警告ユニットを排紙動作に同期して点灯させる時の、画像形成処理の手順を示すフローチャートである。
【図８】上部に凸型のボタンを有したソレノイドの断面図である。
【符号の説明】
【００５１】
１Ｙ，１Ｍ，１Ｃ，１Ｋ          像担持体
４Ｙ，４Ｍ，４Ｃ，４Ｋ          現像装置
７Ｙ，７Ｍ，７Ｃ，７Ｋ，７Ａ    転写装置
２２                            搬送系
２４                            定着装置
４２                            排紙口ユニット
４４                            メイントレイ
４６，４７                      点字ブロック
５０                            警告ユニット
５８                            警告ユニット制御手段
７０                            ソレノイド
Ａ                              画像形成装置
Ｂ                              後処理装置
ＰＥ                            記録紙
【図１】
2005084289.tif 000003
【図２】
2005084289.tif 000004
【図３】
2005084289.tif 000005
【図４】
2005084289.tif 000006
【図５】
2005084289.tif 000007
【図６】
2005084289.tif 000008
【図７】
2005084289.tif 000009
【図８】
2005084289.tif 000010